(57)【特許請求の範囲】
【請求項１】
交流電源を整流するための整流回路、
前記整流回路の出力を受け、前記出力の値に基づいて電力蓄積回路および負荷への出力供給を遮断する遮断回路、
前記遮断回路から出力される電荷を蓄積するための電力蓄積回路、
前記遮断回路からの出力又は前記電力蓄積回路からの出力に基づいて負荷に対して定電流の供給をおこなう負荷定電流駆動回路、
を備えた交流用駆動回路において、
前記遮断回路は、整流回路の出力の立ち上がり時には、前記整流回路の出力電圧の値に関係なく、前記整流回路の出力の立ち上がり開始より所定時間経過後に電力蓄積回路および負荷への出力供給を遮断し、整流回路の出力の立ち下がり時には、前記整流回路の出力電圧が第１の閾値電圧以上のときに電力蓄積回路および負荷への出力供給を遮断すること、
を特徴とする交流用駆動回路。
【請求項２】
請求項１の交流用駆動回路において、
前記整流回路の出力の立ち上がり時には、定電流回路によるコンデンサの充電をおこなうことで、当該コンデンサの充電電圧に基づいて出力供給の遮断制御をおこない、
前記整流回路の出力の立ち下がり時には、整流回路の出力端に並列接続された、少なくとも２つの抵抗による分圧回路の出力により出力供給の制御をおこなうこと、
を特徴とするもの。
【請求項３】
交流電源を整流するための整流回路、
前記整流回路の出力を受け、前記出力値に基づいて電力蓄積回路および負荷への出力供給を遮断する遮断回路、
前記遮断回路から出力される電荷を蓄積するための電力蓄積回路、
を備えた交流用駆動回路において、
前記遮断回路は、整流回路の出力の立ち上がり時には、前記整流回路の出力電圧の値に関係なく、前記整流回路の出力の立ち上がり開始より所定時間経過後に電力蓄積回路および負荷への出力供給を遮断し、整流回路の出力の立ち下がり時には、前記整流回路の出力電圧が第１の閾値電圧以上のときには電力蓄積回路および負荷への出力供給を遮断すること、
を特徴とする交流用駆動回路。
【請求項４】
請求項１から請求項３の何れかの交流用駆動回路において、
前記負荷に供給される電流を検知して、その値が閾値電流以下になったときには、前記遮断回路による遮断動作を行わないようにすること、
を特徴とするもの。
【請求項５】
請求項４の交流用駆動回路において、
前記整流回路の出力電圧が、第２の閾値電圧以上のときには、負荷に供給される電流が閾値電流以下になった場合であっても、前記遮断回路による遮断動作を継続させること、
を特徴とするもの。
【請求項６】
請求項１から請求項５の何れかの交流用駆動回路において、
前記電力蓄積回路が、前記遮断回路からの入力を制限する定電流回路を備えたこと、
を特徴とするもの。
【請求項７】
請求項１から請求項６の何れかの交流用駆動回路において、
さらに、前記遮断回路に入力された過電流を検出してその最大値を制限するための過電流保護回路を備えたこと、
を特徴とするもの。
【請求項８】
請求項１から請求項７の何れかの交流用駆動回路において、
さらに、前記遮断回路に入力された過電圧を検出してその最大値を制限するための過電圧保護回路を備えたこと、
を特徴とするもの。
【発明の詳細な説明】
【０００１】
【発明の属する技術分野】
この発明は、ＬＥＤ（発光ダイオード）などの比較的消費電力の少ない機器を、交流電源で駆動するための駆動回路に関し、特にその負荷を効率よく駆動する技術に関する。
【０００２】
【従来の技術】
従来から、照光式押ボタンスイッチなどの光源として、発光ダイオード（ＬＥＤ）が用いられている。ＬＥＤの発光量（光出力）は、ＬＥＤに流れる電流の増加に伴い大きくなる。このため、ＬＥＤを明るく点灯させるためには、できるだけ大きな電流をＬＥＤに流せばよいことになる。
【０００３】
一方、電流が大きくなると、その消費電力も増大し、発熱量も大きくなる。比較的小さな機器に用いる場合には、小型化による部品の密集があるため、部品からの発熱をさけないと、熱により部品が故障するおそれがある。
【０００４】
したがって、ＬＥＤなどの負荷に流す電流を制御して、効率よく負荷を駆動し、発熱をおさえる技術が求められている。また、このような技術は、省エネルギーという社会的要請にも合致するものである。
【０００５】
図１５Ａに、従来の交流用駆動回路を示す。また、図１５Ｂにその駆動波形を示す。このように、全波整流の出力を負荷であるＬＥＤ４に与える方式では、次のような問題点がある。ＬＥＤ４には、その規格上、最大許容電流の制限がある。したがって、波形のピーク時の電流値がこの最大許容電流を越えないようにしなければならない。このため、抵抗５の抵抗値を適切に選択し、電流の制限を行う。しかしながら、抵抗５によって波形のピーク値を制限しているので、全周期にわたって波高が制限され、十分な発光量が得られないという問題がある。
【０００６】
また、抵抗５による発熱が大きくなるという問題も生じてしまう。
【０００７】
さらに、図１５Ｂに示すように、１００Ｖの交流電源、２００Ｖの交流電源の何れでも使用できるようにした場合、２００Ｖ使用において最大許容電流を越えないように抵抗値を定めなければならない。このため、１００Ｖ使用の場合には、十分な発光量が得られないという問題があった。
【０００８】
上記のような問題を解決した交流用駆動回路を、図１３に示す。なお、図１３Ａは、この交流用駆動回路の構成を示す図である。図１３Ｂは、この交流用駆動回路のブロック図である。
【０００９】
図１３Ｂに示すように、この交流用駆動回路は、整流回路７、遮断回路Ｂ４、電力蓄積回路Ｂ７、負荷４を備えている。ここで、整流回路７は、交流電源３を整流するための回路である。遮断回路Ｂ４は、整流回路７の出力を受け、その出力の値に基づいて電力蓄積回路Ｂ７および負荷４への出力供給を遮断するための回路である。電力蓄積回路Ｂ７は、遮断回路Ｂ４から出力される電荷を蓄積するための回路である。負荷４は、押ボタンスイッチなどを照光するためのものである。
【００１０】
図１４に、この交流用駆動回路における、全波整流された電圧Ｖと時間ｔの関係、回路に流れる電流ＩＣ，ＩＬと時間ｔとの関係を示す。交流電源３の電圧が１００Ｖの場合を、破線で示している。整流回路７によって全波整流された出力は、遮断回路Ｂ４のトランジスタＱ１、電力蓄積回路Ｂ７のダイオード１０、抵抗５を介してＬＥＤ４に与えられる。また、同時に、電力蓄積回路Ｂ７の蓄電用コンデンサ８に蓄積される。
【００１１】
整流回路７の出力電圧が、遮断回路Ｂ４の抵抗１４、１６によって決まる閾値電圧ＶＴＨを越えると、トランジスタＱ２がオンする。これにより、トランジスタＱ１がオフし、負荷４側へは電力は供給されなくなる。この時点で、蓄電用コンデンサ８に蓄積されていた電力が、ＬＥＤ４に供給される。
【００１２】
その後、全波整流の出力が、所定値を下回ると、トランジスタＱ２がオフ、トランジスタＱ１がオンになって、再び、遮断回路の出力がＬＥＤ４に与えられる。
【００１３】
以上のようにして、図１４Ｃの破線に示すような電流が、ＬＥＤ４に供給される。このように、遮断回路Ｂ４、電力蓄積回路Ｂ７を設けることにより、ＬＥＤ４の最大許容電流Ｉｌｉｍを越えることなく、かつ、効率的にＬＥＤ４に電力を供給することができる。
【００１４】
なお、２００Ｖの電源を用いた場合の駆動波形は、図１４の実線で示すとおりである。
【００１５】
【発明が解決しようとする課題】
しかし、このような従来の交流用駆動回路では、以下のような問題があった。図１４Ａに示すように、電源電圧２００Ｖにて使用した場合、１００Ｖの場合に比べて、整流回路７の出力の立ち上がりが急である。このため、図１４Ｂに示すように、１００Ｖの場合に比べて、早く、トランジスタＱ１がオフになる。したがって、図１４Ｃに示すように、ＬＥＤ４に供給される電流も、１００Ｖの場合に比べて小さくなる。
【００１６】
すなわち、図１３に示す従来の回路では、１００Ｖの交流電源３を用いた場合に比べて、２００Ｖの交流電源３を用いた場合の方が、ＬＥＤ４に供給される電流が小さくなり暗くなってしまうという問題点があった。
【００１７】
この発明は、最大許容電流Ｉｌｉｍの範囲内において最大限の電流を流すことができ、さらに、交流電源３の電源電圧値の差による負荷４への供給電力の差が生じないような交流用駆動回路を提供することを目的とする。
【００１８】
【課題を解決するための手段および発明の効果】
（１）この発明の交流用駆動回路は、交流電源を整流するための整流回路と、前記整流回路の出力を受け、前記出力の値に基づいて電力蓄積回路および負荷への出力供給を遮断する遮断回路と、前記遮断回路から出力される電荷を蓄積するための電力蓄積回路とを備え、前記遮断回路からの出力又は前記電力蓄積回路からの出力を負荷に供給する交流用駆動回路であって、前記遮断回路からの出力又は前記電力蓄積回路からの出力に基づいて負荷に対して定電流の供給をおこなう負荷定電流駆動回路を備えたことを特徴としている。
【００１９】
したがって、整流出力からの電流、電力蓄積回路からの電流の双方を、定電流化して、負荷に供給することができる。これにより、負荷に流すことができる最大の電流値とほぼ同じ値の定電流を負荷に通電できるので、効率の良い出力供給を行うことができる。
【００２０】
定電流回路の存在により、負荷に流れ込む電流を所定値に抑制することができるので、遮断回路の出力電流値を従来よりも高くすることができる。これにより、電力蓄積回路への蓄積電荷を増やすことができ、電力の使用効率を良くすることができる。
【００２１】
（２）この発明の交流用駆動回路は、交流電源を整流するための整流回路、前記整流回路の出力を受け、前記出力の値に基づいて電力蓄積回路および負荷への出力供給を遮断する遮断回路、前記遮断回路から出力される電荷を蓄積するための電力蓄積回路、前記遮断回路からの出力又は前記電力蓄積回路からの出力に基づいて負荷に対して定電流の供給をおこなう負荷定電流駆動回路、を備えた交流用駆動回路において、前記遮断回路は、整流回路の出力の立ち上がり時には、前記整流回路の出力電圧の値に関係なく、前記整流回路の出力の立ち上がり開始より所定時間経過後に電力蓄積回路および負荷への出力供給を遮断し、整流回路の出力の立ち下がり時には、前記整流回路の出力電圧が第１の閾値電圧以上のときには電力蓄積回路および負荷への出力供給を遮断することを特徴とする。
【００２２】
したがって、電源電圧が異なる場合であっても、光出力の大きさを同じにすることができる。
【００２３】
また、遮断回路からの電流、電力蓄積回路からの電流の双方を、定電流化して、負荷に供給することができる。これにより、負荷に流すことができる最大の電流値とほぼ同じ値の定電流を負荷に通電できるので、効率の良い出力供給を行うことができる。
【００２４】
定電流回路の存在により、負荷に流れ込む電流を所定値に抑制することができるので、遮断回路の出力電流値を従来よりも高くすることができる。これにより、電力蓄積回路への蓄積電荷を増やすことができ、電力の使用効率を良くすることができる。
【００２５】
（３）この発明の交流用駆動回路は、整流回路の出力の立ち上がり時には、定電流回路によるコンデンサの充電をおこなうことで、当該コンデンサの充電電圧に基づいて出力供給の遮断制御をおこない、整流回路の出力の立ち下がり時には、整流回路の出力端に並列接続された、少なくとも２つの抵抗による分圧回路の出力により出力供給の制御をおこなうことを特徴とする。
【００２６】
したがって、電源電圧が異なる場合であっても、光出力の大きさを同じにすることができる。
【００２７】
（４）この発明の交流用駆動回路は、交流電源を整流するための整流回路、前記整流回路の出力を受け、前記出力の値に基づいて電力蓄積回路および負荷への出力供給を遮断する遮断回路、前記遮断回路から出力される電荷を蓄積するための電力蓄積回路、を備えた交流用駆動回路において、前記遮断回路は、整流回路の出力の立ち上がり時には、前記整流回路の出力電圧の値に関係なく、前記整流回路の出力の立ち上がり開始より所定時間経過後に電力蓄積回路および負荷への出力供給を遮断し、整流回路の出力の立ち下がり時には、前記整流回路の出力電圧が第１の閾値電圧以上のときには電力蓄積回路および負荷への出力供給を遮断することを特徴とする。
【００２８】
したがって、電源電圧が異なる場合であっても、光出力の大きさを同じにすることができる。
【００２９】
（５）この発明の交流用駆動回路は、負荷に供給される電流を検知して、その値が閾値電流以下になったときには、遮断回路による遮断動作を行わないようにすること、を特徴とする。
【００３０】
したがって、負荷に流れる電流が閾値電流以下のときには、遮断回路を無効にして、電力蓄積回路および負荷に電荷を供給することが可能になる。このため、何らかの理由により、負荷に流れる電流が減少したときでも、負荷には、常に閾値電流以上の電流が供給され、一定以上の光出力を保証することができる。
【００３１】
また、脈流のない電源に用いることも可能である。このため、交流用駆動回路に印加される電源に脈流でない電源を用いても、負荷には常に閾値以上の電流が供給されるので、汎用性の高い製品を提供することができる。
【００３２】
（６）この発明の交流用駆動回路は、前記整流回路の出力電圧が、第２の閾値電圧以上のときには、負荷に供給される電流が閾値電流以下になった場合であっても、前記遮断回路による遮断動作を継続させること、を特徴とする。
【００３３】
したがって、整流回路の出力電圧が、第２の閾値電圧以上のときには、遮断回路を有効にして、電力蓄積回路および負荷への出力供給を遮断することが可能になる。これにより、装置の消費電力の増大およびそれに伴う発熱の増大を抑制することができる。
【００３４】
（７）この発明の交流用駆動回路は、前記電力蓄積回路が、前記遮断回路からの入力を制限する定電流回路を備えたこと、を特徴とする。
【００３５】
したがって、電力蓄積回路に、コンスタントかつ短時間で電荷を供給することが可能になる。これにより、装置全体の消費電力の増大およびそれに伴う発熱の増大を抑制することができる。
【００３６】
（８）この発明の交流用駆動回路は、前記遮断回路に入力された過電流を検出してその最大値を制限するための過電流保護回路を備えたことを特徴とする。
【００３７】
したがって、ノイズなどにより回路に過電流が流れた場合、それを検出してそのピーク値を制限することにより、ノイズなどから装置を保護できる。
【００３８】
（９）この発明の交流用駆動回路は、前記遮断回路に入力された過電圧を検出してその最大値を制限するための過電圧保護回路を備えたことを特徴とする。
【００３９】
したがって、ノイズなどにより回路に過電圧が印加された場合、それを検出してそのピーク値を制限することにより、ノイズなどから装置を保護できる。
【００４０】
【発明の実施の形態】
［第１の実施形態］
この発明の第１の実施形態（実施形態１）について、以下に図１〜３を用いて説明する。
【００４１】
まず、図１を用いて、この発明の交流用駆動回路の構成を説明する。なお、図１Ａは、第１の実施形態の交流用駆動回路の構成を示す図である。図１Ｂは、第１の実施形態の交流用駆動回路のブロック図である。
【００４２】
図１Ｂに示すように、この交流用駆動回路は、整流回路７、遮断回路Ｂ４、電力蓄積回路Ｂ７、負荷４、負荷定電流駆動回路６を備える。ここで、整流回路７は、交流電源３を整流するための回路である。遮断回路Ｂ４は、整流回路７の出力を受け、その出力の値に基づいて電力蓄積回路Ｂ７および負荷４への出力供給を遮断する回路である。電力蓄積回路Ｂ７は、遮断回路Ｂ４から出力される電荷を蓄積するための回路である。負荷定電流駆動回路６は、遮断回路Ｂ４からの出力又は電力蓄積回路Ｂ７からの出力に基づいて負荷４に対して定電流の供給をおこなう回路である。負荷４は、押ボタンスイッチなどを照光するためのものである。負荷定電流駆動回路６は、負荷４への出力を一定電流値に制限して供給する回路である。
【００４３】
つぎに、この交流用駆動回路の構成の詳細について、図１Ａを用いて以下に説明する。
【００４４】
この交流用駆動回路は、一対の接続端子１，２を介して、電源電圧が１００Ｖまたは２００Ｖの交流電源３に接続される。なお、この実施形態においては、電源電圧の値を１００Ｖまたは２００Ｖとしたが、これらの値には限定されない。
【００４５】
整流回路７は、ブリッジ回路である。
【００４６】
遮断回路Ｂ４は、図１Ａに示すように、トランジスタＱ１と、これを制御するための以下の、トランジスタＱ２、抵抗１２、抵抗１４，抵抗１６を備える。
【００４７】
直列に接続された、抵抗１４と抵抗１６は、その両端が整流回路７の出力端に接続されている。なお、この抵抗１４と抵抗１６によって、後述する第１の閾値電圧ＶＴＨ１が決まる。
【００４８】
トランジスタＱ２のベースは、分圧回路である抵抗１４と抵抗１６の間の分圧点ａに接続されており、コレクタはトランジスタＱ１のベースに、エミッタは抵抗１６をベース−エミッタ間に有するように接続されている。
【００４９】
抵抗１２は、トランジスタＱ１のコレクタ−ベース間に接続されている。
【００５０】
また、負荷定電流駆動回路６は負荷４と直列に接続された、一般的に定電流回路として用いられる回路である。この定電流回路は、たとえば、図２のＡ，Ｂ，Ｃに示すような回路を用いることができる。これらの回路は、それぞれが与えられた電圧値などの変化にかかわらず、出力する電流値が一定の値を保つような構成になっている。
【００５１】
このため、予め定められた電流を保持することができる。この実施形態では、負荷定電流駆動回路６の電流値は、ＬＥＤ４の最大許容電流をやや下回る程度に設定される。なお、この実施形態においては、定電流回路の例を図２に挙げたが、これに限定されるものではなく、これら以外の定電流の供給が可能な回路であっても良い。
【００５２】
また、電力蓄積回路Ｂ７は、抵抗１１、逆流防止用ダイオード１０、蓄電用コンデンサ８を備えている。蓄電用コンデンサ８は、上記負荷４および負荷定電流駆動回路６に対して並列接続されている。逆流防止用ダイオード１０は、抵抗１１を介してトランジスタＱ１のエミッタに順方向に接続されている。
【００５３】
負荷４は、駆動対象であるＬＥＤ４（発光ダイオード）である。
【００５４】
つぎに、この交流用駆動回路の動作について、図１Ａおよび図３を用いて説明する。なお、図３は、全波整流された電圧Ｖ、電流ＩＣ１、ＩＬ１と時間ｔの関係を示すグラフである。交流電源３の電圧が、１００Ｖの場合を破線で示している。
【００５５】
整流回路７によって全波整流された出力は、遮断回路Ｂ４のトランジスタＱ１、抵抗１１、電力蓄積回路Ｂ７の逆流防止用ダイオード１０、負荷定電流駆動回路６を介してＬＥＤ４に与えられる。また、同時に、電力蓄積回路Ｂ７の蓄電用コンデンサ８に蓄積される。
【００５６】
整流回路７によって出力された電圧Ｖが、図３Ａに示す第１の閾値電圧ＶＴＨ１よりも低い間（図中αからβ）は、トランジスタＱ２がオフになる。これにより、トランジスタＱ１がオンし、図３Ｂに示すように、電力蓄積回路Ｂ７および負荷４への出力供給がおこなわれる。なお、この時、負荷定電流駆動回路６を備えたことにより、負荷４には、図３Ｃに示すようなほぼ最大許容電流Ｉｌｉｍに近い一定値の電流を負荷４に流すことができる。
【００５７】
図３Ｂに、遮断回路Ｂ４によって出力された電流値ＩＣ１と時間ｔとの関係を示す。図３Ｂに示すように、この整流回路７によって出力された電圧Ｖが、抵抗１４と抵抗１６によって決まる第１の閾値電圧ＶＴＨ１（図３Ａ参照）よりも高い間（図中βからγ）は、分圧点ａの電位により、トランジスタＱ２がオンし、抵抗１２を通じて電流が流れる。
【００５８】
これにより、トランジスタＱ１にはベース電流が流れない。したがって、この時、トランジスタＱ１はオフし、図３Ｂに示すように、遮断回路Ｂ４から電力蓄積回路Ｂ７および負荷４への出力供給は遮断される。
【００５９】
遮断回路Ｂ４からの出力供給が遮断された後は以下のような動作となる。図３Ｃに、負荷４に流れる電流値ＩＬ１と時間ｔの関係を示す。図３Ｃに示すように、遮断回路Ｂ４からの出力供給が遮断された後でも、蓄電用コンデンサ８に蓄えられた電荷が放電されることによって、電力蓄積回路Ｂ７による電力の供給が続けられ、ＬＥＤ４に電流が流れる。この時も、負荷定電流駆動回路６を備えたことにより、負荷４には、図３Ｃに示すような、ほぼ最大許容電流Ｉｌｉｍに近い一定値の電流を負荷４に流すことができる。
【００６０】
２００Ｖの交流電源３を用いた場合の駆動波形は、図３の実線で示すとおりである。このように、負荷定電流駆動回路６を備えたことにより、電源電圧１００Ｖと２００Ｖのどちらの場合においても、図３Ｃに示すような、最大許容電流Ｉｌｉｍとほぼ同じ電流をＬＥＤ４に、所定時間流すことができる。これにより、従来よりもＬＥＤ４の光出力を大きくすることができる。
【００６１】
なお、この実施形態においては、負荷定電流駆動回路６を備えたことにより、遮断回路により出力される電流値を従来よりも高くすることができる。これは、遮断回路Ｂ４の出力が大きくなり電流ＩＣ１が大きくなっても、負荷定電流駆動回路６により、ＬＥＤ４に流れる電流を最大許容電流Ｉｌｉｍに制限できるためである。このため、従来よりも蓄電用コンデンサ８により多くの電力を蓄積することができる。
【００６２】
また、図３Ｃに示すように、電流値ＩＬ１を示す曲線とグラフの縦軸、横軸で囲まれる領域の面積は電源電圧が１００Ｖよりも２００Ｖの方がグラフに占める面積が小さくなる。すなわち、光出力が１００Ｖよりも２００Ｖの方が小さくなる。しかし、遮断回路により出力される電流値を高めて最大許容電流Ｉｌｉｍとほぼ同じ電流を流す所定時間を長くし、電流値ＩＬ１の落ち込み幅（図３Ｃのδ参照）を、０に近づけることで、１００Ｖと２００Ｖ間の光出力の差をなくすことも可能である。
【００６３】
［第２の実施形態］
この発明の第２の実施形態（実施形態２）について、以下に図４、図５を用いて説明する。
【００６４】
まず、図４を用いて、この発明の交流用駆動回路の構成を説明する。なお、図４Ａは、第２の実施形態の交流用駆動回路の構成を示す図である。図４Ｂは、第２の実施形態の交流用駆動回路のブロック図である。
【００６５】
図４Ｂに示すように、この交流用駆動回路は、整流回路７、遮断回路Ｂ４、電力蓄積回路Ｂ７、負荷４、負荷定電流駆動回路６を備える。すなわち、第１の実施形態とブロック図は、同じものとなる。ただし、遮断回路Ｂ４がその内部にタイマー回路Ｂ５および閾値回路Ｂ６を備えている点が第１の実施形態とは異なっている。
【００６６】
遮断回路Ｂ４は、この実施形態においては、整流回路７の出力の立ち上がり時には、整流回路７の出力電圧の値に関係なく、整流回路７の出力の立ち上がり開始から所定時間経過後に電力蓄積回路Ｂ７および負荷４への出力供給を遮断し、整流回路７の出力の立ち下がり時には、整流回路７の出力電圧が第１の閾値電圧以上のときには電力蓄積回路Ｂ７および負荷４への出力供給を遮断するための回路となっている。
【００６７】
つぎに、この遮断回路Ｂ４の構成について、図４Ａを用いて説明する。前述したように、この実施形態においては、第１の実施形態と異なり、遮断回路Ｂ４はタイマー回路Ｂ５および閾値回路Ｂ６を備える。
【００６８】
タイマー回路Ｂ５の構成は、以下のようになっている。定電流回路２０が、タイマー用コンデンサ２２に直列に接続されており、その中間点ｃには、抵抗２４を介してトランジスタＱ２のベースが接続されている。抵抗２８は、トランジスタＱ２のベース−エミッタ間に接続されている。なお、定電流回路２０には、第１の実施形態において説明した図２に示すようなものを用いることができる。
【００６９】
閾値回路Ｂ６の構成は、以下のようになっている。保護用ダイオード３０が、抵抗３２と抵抗３４の中間の分圧点ｂとトランジスタＱ３のベース間に接続されている。トランジスタＱ３のエミッタが抵抗２６を介して中間点ｃに接続されている。
【００７０】
つぎに、この遮断回路Ｂ４の動作について、図４Ａおよび図５を用いて説明する。なお、図５は、全波整流された電圧Ｖ、電流ＩＣ２、ＩＬ２と時間ｔの関係を示すグラフである。交流電源３の電圧が、１００Ｖの場合を破線で示している。
【００７１】
遮断回路Ｂ４には、図５Ａに示すような、整流回路７によって全波整流された電圧Ｖが入力される。
【００７２】
電圧Ｖの立ち上がり時は、図５Ｂに示すように、整流回路の出力の立ち上がり開始から所定時間を経過する前（図中α’からβ’）は、トランジスタＱ１はオンし、電力蓄積回路Ｂ７に電流ＩＣ２、ＬＥＤ４に電流ＩＬ２が流れる。このとき、タイマー回路Ｂ５においては、定電流回路２０によって定電流が流されており、タイマー用コンデンサ２２にはコンスタントに電荷が供給される。
【００７３】
整流回路７の出力の立ち上がり開始から所定時間を経過した時（図中β’）は、タイマー用コンデンサ２２の電圧が、抵抗２４と抵抗２８によって決まる所定値に達し、トランジスタＱ２がオンする。すなわち、トランジスタＱ２がオンする所定時間とは、整流回路７の出力の立ち上がり開始から、定電流によってタイマー用コンデンサ２２が所定電圧値に達するまでの一定の時間を意味する。
【００７４】
したがって、図５Ｂに示すように、立ち上がり時にトランジスタＱ１がオフするのは、電源電圧の２００Ｖ（図５中実線で示す。）と１００Ｖの間でほぼ同じ時間が経過した時（図中β’）になる。一方、図５Ｂに示すように、立ち上がり時に遮断回路Ｂ４によって供給される出力（電流ＩＣ２を示す曲線とグラフの縦軸、横軸で囲まれる領域の面積で表される）は、電源電圧の高い２００Ｖ（図５中実線で示す。）の方が、１００Ｖよりも大きくなる。
【００７５】
これにより、図５Ｃに示す幅ｗ１で表される、ＬＥＤ４に流れる電流値ＩＬ２が落ち込むまでの時間差を生じる。したがって、立ち上がり時においては、図５Ｃに示す面積Ｘの大きさ分だけ、２００Ｖの方が光出力が大きくなる。
【００７６】
つぎに、電圧Ｖの立ち下がり時の動作について説明する。
【００７７】
電圧Ｖの立ち下がり時には、図５Ｂに示すように、電圧Ｖが、抵抗３２と抵抗３４の比、およびタイマー用コンデンサ２２に印可された電位によって決まる第１の閾値電圧ＶＴＨ１（図中γ’）に達すると、トランジスタＱ３がオンする。これにより、タイマー用コンデンサ２２に充電された電荷が、抵抗２６を介して放電される。これにより、トランジスタＱ２はオフし、トランジスタＱ１はオンする。
【００７８】
すなわち、立ち下がり時は、立ち上がり時と異なり、電圧Ｖが第１の閾値電圧ＶＴＨ１に達すると、トランジスタＱ１がオンし、遮断回路Ｂ４からの出力の供給がおこなわれる。したがって、図５Ｂに示すように、立ち下がり時に遮断回路Ｂ４によって出力の供給が開始される時間は、電源電圧の高い２００Ｖの方が、低い１００Ｖよりも遅くなる。
【００７９】
これにより、図５Ｃに示す、幅ｗ２で表されるＬＥＤ４に流れる電流値ＩＬ２が立ち上がるまでの時間差を生じる。したがって、立ち下がり時においては、立ち上がり時とは逆に、面積Ｙの大きさ分だけ、１００Ｖよりも２００Ｖの方が光出力が小さくなる。
【００８０】
この立ち上がり時と立ち下がり時に生じる遮断回路Ｂ４の出力の差を利用することで、電源電圧が異なる場合であっても、光出力の大きさを同じにすることができる。すなわち、図５Ｃに示す、面積Ｘと面積Ｙが同じになるように回路の抵抗値などの設計値を設定することによって、電源電圧が異なる場合であっても光出力の大きさを同じにすることができる。
【００８１】
さらに、図５Ｄに、遮断回路Ｂ４の出力を増加させて、ＬＥＤ４に流れる電流ＩＬ２の落ち込み幅（図中δ’）をなくしたときのグラフを示す。このように、遮断回路Ｂ４によって出力される電力を調節すれば、図５Ｄに示すような、ＬＥＤ４に直流化した電流を常時流すことが可能となる。
【００８２】
最後に、図６に、従来技術と実施形態１、２の光出力と電源電圧の関係を示す。図６に示すように、実施形態１は、１００Ｖと２００Ｖの両方の電源電圧において、従来技術よりも光出力が大きくなっている。また、実施形態２においては、従来技術よりも、光出力が大きいだけでなく、１００Ｖと２００Ｖの両方の電源電圧において同一の値を実現している。さらに、直流化した場合（ＤＣ）には、光出力が最大となっており、ＬＥＤ４に流すことができる電流の範囲内で最大の光出力を、もっとも効率良く実現している。
【００８３】
［第３の実施形態］
第２の実施形態の交流用駆動回路においては、負荷定電流駆動回路６を備えることとしたが、これを備えない交流用駆動回路によって、この発明を実施することもできる。
【００８４】
図７は、第２の実施形態において、負荷定電流駆動回路６を備えない交流用駆動回路の構成を示す図である。図７に示すように、この実施形態においては、負荷定電流駆動回路６を抵抗５に置き換えたことのみが、図４Ａに示す第２の実施形態の回路構成と異なっている。なお、抵抗５は、ＬＥＤ４に流れる電流を制限するために設けられている。
【００８５】
図８は、この実施形態の駆動波形を示す図である。図８に示すように、図８Ａ（電圧Ｖの波形）および図８Ｂ（電流ＩＣ３の波形）は、それぞれ第２の実施形態の図５Ａ，Ｂとほぼ同じ駆動波形になっている。
【００８６】
このため、第２の実施形態と同様に、電圧Ｖの立ち上がり時と立ち下がり時に生じる遮断回路Ｂ４の出力の差を利用することで、電源電圧が異なる場合であっても、光出力の大きさを同じにすることができる。
【００８７】
一方、図８Ｃ（ＬＥＤ４に流れる電流ＩＬ３の波形）は、負荷定電流駆動回路６を抵抗５に置き換えたことによって、図５Ｃに示すような駆動波形とは異なったものとなる。
【００８８】
以下に、図７および図８を用いて、第３の実施形態（実施形態３）における回路の動作について説明する。
【００８９】
まず、遮断回路Ｂ４には、整流回路７によって、図８Ａに示すような全波整流された電圧Ｖが入力される。これにより、図８Ｂに示すような波形で表される電流ＩＣ３が、電力蓄積回路Ｂ６および負荷（ＬＥＤ）４に出力される。ここまでは、第２の実施形態と同じである。
【００９０】
しかし、この実施形態においては、負荷定電流駆動回路６を備えないため、ＬＥＤ４へ定電流を供給することができない。このため、図８Ｃに示すように、ＬＥＤ４に流れる電流ＩＬ３の波形は、突出したピークを有するようなものとなり、最大許容電流Ｉｌｉｍとほぼ同じ電流を所定時間流すことはできない。
【００９１】
図８Ｃにおいて、実線は電源電圧２００Ｖの場合の駆動波形を示す。整流回路７の出力の立ち上がり開始から所定時間を経過する前（図中α”からβ”）は、遮断回路Ｂ４からの出力により、電流ＩＬ３は、図８Ｃに示すように、増加する。このとき、ＬＥＤ４に流れる電流ＩＬ３は、最大許容電流Ｉｌｉｍにほぼ近い電流値にまで達する（図８Ｃ中β”）。
【００９２】
一方、その後、遮断回路Ｂ４によって出力の供給が遮断される（図８Ｃ中β”）と、図８Ｃに示すように、ＬＥＤ４に流れる電流ＩＬ３は、再び遮断回路Ｂ４によって出力の供給が行われる（図中γ”）まで減少する。
【００９３】
つぎに、電源電圧が１００Ｖの場合との波形の相違について説明する。電源電圧が１００Ｖの場合を、図８Ｃに破線で示す。
【００９４】
図８Ｂに示すように、電圧Ｖの立ち上がり時に、遮断回路Ｂ４によって供給される出力（図中α”からβ”）は、２００Ｖの方が１００Ｖよりも大きくなる。
【００９５】
このため、遮断回路Ｂ４によって出力の供給が遮断される（図中β”）までに、ＬＥＤ４に流れる電流ＩＬ３の立ち上がり（図中β”）の少し前から、電流ＩＬ３の大きさは、２００Ｖの方が１００Ｖよりも大きくなる。
【００９６】
一方、電圧Ｖの立ち下がり時には、図８Ｂに示すように、遮断回路Ｂ４によって出力の供給が開始される時間ｔは、幅ｗ３の分だけ、２００Ｖの方が１００Ｖよりも遅くなる。したがって、遮断回路Ｂ４によって供給される出力は、図８Ｂに示すように、２００Ｖの方が１００Ｖよりも小さくなる。
【００９７】
このため、図８Ｃに示すように、ＬＥＤ４に流れる電流ＩＬ３の立ち上がり（図中γ”）から少し後は、電流ＩＬ３の大きさは、２００Ｖの方が１００Ｖよりも小さくなる。
【００９８】
このように、この実施形態においては、電流ＩＬ３の波形は、第２の実施形態と異なる。しかし、前述したように、電圧Ｖの立ち上がり時と立ち下がり時に生じる遮断回路Ｂ４の出力の差を利用することで、電源電圧が異なる場合であっても、光出力の大きさを同じにすることができる。
【００９９】
［第４の実施形態］
第２の実施形態においては、遮断回路Ｂ４によって出力される電力を調節することで、図５Ｄに示すような直流化した電流を、ＬＥＤ４に常時流し続けるようにしている。このように、直流化した電流をＬＥＤ４に流すとき、図５Ｃに示す直流化していない電流のグラフにおいて、ＬＥＤ４に流れる電流ＩＬ２の落ち込み幅δ’が、ちょうど無くなるように調節すれば、電力が無駄に費やされないため、省エネルギーの観点から考えると理想的である。
【０１００】
しかしながら、現実的には、電流ＩＬ２の落ち込み幅δ’（図５Ｃ参照）が、ちょうど無くなるように設計して回路を製造すると、製造誤差などにより、ＬＥＤ４に流れる電流ＩＬ２に落ち込み幅δ’があるものもできてしまう。
【０１０１】
また、交流電源からの電圧波形は、現実には、図５Ａなどに示すような正確な正弦波形とならない場合がある。このため、立ち下がり時において遮断回路Ｂ４からの出力供給が行われる時（図５中のγ’）がずれてしまい、周期によっては、ＬＥＤ４に流れる電流ＩＬ２に落ち込み幅δ’ができることがある。
【０１０２】
そこで、この実施形態においては、ＬＥＤ４に流れる電流ＩＬ２に落ち込み幅δ’がある製品についても、一定以上の光出力を保証できるような回路としている。
【０１０３】
この発明の第４の実施形態（実施形態４）について、以下に図１６、図１７を用いて説明する。
【０１０４】
まず、図１６を用いて、この発明の交流用駆動回路の構成を説明する。なお、図１６Ａは、第４の実施形態の交流用駆動回路の構成を示す図である。図１６Ｂは、第４の実施形態の交流用駆動回路のブロック図である。
【０１０５】
図１６Ｂに示すように、この交流用駆動回路は、整流回路７、遮断回路Ｂ４、電力蓄積回路Ｂ７、負荷４、負荷定電流駆動回路６、遮断制御回路Ｂ１４を備える。すなわち、この交流用駆動回路は、図４Ａに示す第２の実施形態のブロック図において、遮断制御回路Ｂ１４を新たに追加したものとなっている。遮断制御回路Ｂ１４は、負荷４に流れる電流を検知して、その値が閾値電流になったときに、遮断回路Ｂ４による遮断動作を行わないようにする回路である。
【０１０６】
つぎに、この遮断制御回路Ｂ１４の構成について、図１６Ａを用いて説明する。
【０１０７】
図１６Ａに示すように、ＬＥＤ４の出力端には、抵抗５０と抵抗５２が直列に接続されており、抵抗５０と抵抗５２の中間点ｄには、トランジスタＱ５のベースが接続されている。抵抗５２は、トランジスタＱ５のベース−エミッタ間に接続されている。また、抵抗５４は、ＬＥＤ４の出力端と、トランジスタＱ５のコレクタの間に接続されている。トランジスタＱ６のコレクタは、タイマー回路Ｂ５の定電流回路２０と中間点ｃの間に接続され、ベースおよびエミッタは、それぞれトランジスタＱ５のコレクタおよびエミッタに接続されている。
【０１０８】
つぎに、この発明の交流用駆動回路の動作について、図１６Ａおよび図１７を用いて説明する。なお、図１７は、全波整流された電圧Ｖ、電流ＩＣ４、ＩＬ４と時間ｔの関係を示すグラフである。まず、交流電源３の電圧が２００Ｖの場合について説明する。なお、交流電源３の電圧が２００Ｖの場合を実線で、１００Ｖの場合を破線で示している。
【０１０９】
図１７Ｂに示すように、電圧Ｖの立ち上がり時は、整流回路７の出力の立ち上がり開始から所定時間を経過するまで（図中α４からβ４まで）は、トランジスタＱ１はオンし、電力蓄積回路Ｂ７に電流ＩＣ４が、ＬＥＤ４に電流ＩＬ４が流れる。この立ち上がり時の動作は、第２の実施形態と同じになる。したがって、図１７Ｂに示すように、立ち上がり時にトランジスタＱ１がオフし、遮断回路Ｂ４が電力蓄積回路Ｂ７および負荷４への出力供給を遮断するのは、所定時間が経過した時（図中β４）になる。
【０１１０】
つぎに、第２の実施形態において、遮断回路Ｂ４が、電力蓄積回路Ｂ７および負荷４への出力供給を行うのは、立ち下がり時に第１の閾値電圧以下になったとき（図５のγ’参照）であった。しかし、この実施形態においては、その前に、図１７に示すＬＥＤ４に流れる電流ＩＬ４が閾値電流ＩＴＨ以下のときには、その値が最大許容電流Ｉｌｉｍに達するまで、遮断制御回路Ｂ１４が、遮断回路Ｂ４の遮断状態を無効にし、負荷４への出力供給を行うようにしている。
【０１１１】
この遮断制御回路Ｂ１４の動作について説明する。ＬＥＤ４に流れる電流ＩＬ４が減少し、閾値電流ＩＴＨ以下になったときには（図１７のε４）、抵抗５２の両端の電圧が低下して、図１６Ａに示すトランジスタＱ５がオフし、これに連動してトランジスタＱ６がオンする。これにより、タイマー用コンデンサ２２に充電された電荷が放電され、トランジスタＱ２はオフし、これに連動してトランジスタＱ１がオンする。このため、遮断回路Ｂ４による遮断動作が行われずに、ＬＥＤ４に出力が供給される。
【０１１２】
さらに、タイマー用コンデンサ２２が再び充電され、その電圧が抵抗２４と抵抗２８によって決まる所定値に達すると、トランジスタＱ２はオンし、これに連動してトランジスタＱ１がオフすることで、遮断回路Ｂ４からの出力供給が行われなくなる（図１７のη４）。
【０１１３】
このように、この実施形態においては、図１７中ε４からη４までの間は、遮断制御回路Ｂ１４が、遮断回路Ｂ４による遮断動作を行わないようにしている。これにより、常に閾値電流ＩＴＨ以上の電流が供給され、一定以上の光出力を保証することができる。
【０１１４】
遮断回路Ｂ４による遮断動作が行われるようになった後（図１７のη４以降）は、第２の実施形態における電圧Ｖの立ち下がり時（図５のγ’以降）と同じ動作になる。すなわち、図１７Ｂに示すように、電圧Ｖが第１の閾値電圧ＶＴＨ１に達すると、トランジスタＱ３がオンし、これに連動してトランジスタＱ１がオンする。これにより、遮断回路Ｂ４からの出力供給が、図１７のγ４以降において行われる。
【０１１５】
なお、以上においては、交流電源３の電圧が２００Ｖの場合について説明したが、交流電源３の電圧が１００Ｖの場合についても同様である。
【０１１６】
図６に、実施形態４の光出力と電源電圧の関係を示す。図６に示すように、実施形態４では、実施形態２の回路を直流化した場合（ＤＣ）と同様の光出力が得られる。すなわち、電源電圧の変動に影響されることなく、ＬＥＤ４に流すことができる電流の範囲内で最大の光出力を、もっとも効率良く実現している。
【０１１７】
なお、この実施形態において、図１７Ｃのη４付近の落ち込みによって生じる光出力の減少量は、最大許容電流Ｉｌｉｍと閾値電流ＩＴＨの差が小さいため、無視できるほど小さいものとする。
【０１１８】
また、第４の実施形態の回路は、電圧変動（脈流）のない電源に用いることも可能である。その理由を、図１６を用いて以下に説明する。
【０１１９】
図１６において、端子１，２から電圧変動（脈流）のない電力が入力され始めたとき、トランジスタＱ１はオンし、電力蓄積回路Ｂ７およびＬＥＤ４に電流が流れる。このとき、タイマー回路Ｂ５においては、定電流回路２０によって定電流が流されており、タイマー用コンデンサ２２にはコンスタントに電荷が供給される。
【０１２０】
つぎに、タイマー回路Ｂ５のタイマー用コンデンサ２２の電圧が、所定時間経過後に抵抗２４と抵抗２８によって決まる所定値に達すると、トランジスタＱ２がオンする。これにより、トランジスタＱ１がオフし、遮断回路Ｂ４からの出力供給が行われない。
【０１２１】
しかし、遮断回路Ｂ４からの出力が遮断された後でも、一定時間は、電力蓄積回路Ｂ７に蓄積された電荷により、ＬＥＤ４には電力が供給される。電力蓄積回路Ｂ７に蓄積された電荷が減少し、ＬＥＤ４に流れる電流が閾値電流ＩＴＨ以下になったときには、前述の電圧変動のある電源を用いた場合と同じように、遮断制御回路Ｂ１４が動作する。
【０１２２】
すなわち、トランジスタＱ５がオフし、これに連動してトランジスタＱ６がオンする。これにより、タイマー用コンデンサ２２に蓄積された電荷が、トランジスタＱ６のコレクタ−エミッタ間を介して放電され、トランジスタＱ２がオフすることになる。
【０１２３】
以降は、トランジスタＱ１がオンし、上記動作の繰り返しになる。
【０１２４】
一方、図４に示す実施形態２の回路に、電圧変動（脈流）のない電源を用いると、電源電圧が変化しないために、タイマー用コンデンサ２２に充電された電荷が放電されない。すなわち、一旦トランジスタＱ２がオンすると、それ以降は、遮断回路Ｂ４からの出力供給が全く行われないので、実施形態２の回路には、電圧変動（脈流）のない電源を用いることはできない。
【０１２５】
以上のように、この発明の交流用駆動回路は、電圧変動のある電源だけでなく、電源変動のない電源について用いることも可能である。すなわち、電源電圧の相違や電源電圧が脈流か否かを問わない。このため、汎用性の高い製品を提供することができる。
【０１２６】
［第５の実施形態］
第４の実施形態においては、遮断制御回路Ｂ１４を設けることにより、遮断回路Ｂ４による遮断動作を一時的に行わないようにして、一定以上の光出力を保証することとした。しかし、遮断回路Ｂ４の遮断動作が行われ始める時間（図１７のε４の位置）によっては、電源の電圧値Ｖ（図１７Ａ参照）が高いところで回路に電流を流すことになってしまい、装置全体の消費電力が大きくなってしまうという問題がある。
【０１２７】
そこで、この実施形態においては、さらに、整流回路の出力電圧が、第２の閾値電圧以上のときには、負荷に供給される電流が閾値電流以下になった場合であっても、前記遮断回路による遮断動作を継続させる遮断制御無効回路を設けている。
【０１２８】
この発明の第５の実施形態（実施形態５）について、以下に図１８、図１９を用いて詳細に説明する。
【０１２９】
まず、図１８を用いて、この発明の交流用駆動回路の構成を、簡単に説明する。なお、図１８Ａは、第５の実施形態の交流用駆動回路の構成を示す図である。図１８Ｂは、第５の実施形態の交流用駆動回路のブロック図である。
【０１３０】
図１８Ｂに示すように、この交流用駆動回路は、整流回路７、遮断回路Ｂ４、電力蓄積回路Ｂ７、負荷４、負荷定電流駆動回路６、遮断制御回路Ｂ１４、遮断制御無効回路Ｂ１６を備える。すなわち、この交流用駆動回路は、図１６Ｂに示す第４の実施形態のブロック図において、遮断制御無効回路Ｂ１６を新たに追加したものとなっている。遮断制御無効回路Ｂ１６は、整流回路７の出力電圧が第２の閾値電圧以上のときには、負荷に供給される電流が閾値電流以下になった場合であっても、遮断回路Ｂ４による遮断動作を継続させる回路である。
【０１３１】
つぎに、この遮断制御無効回路Ｂ１６の構成について、図１８Ａを用いて説明する。図１８Ａに示すように、トランジスタＱ７のベースは、抵抗５６と抵抗５８の間の分圧点ｄに接続されている。また、トランジスタＱ７のコレクタは、トランジスタＱ６のベースに接続され、エミッタは整流回路の出力端に接続されている。なお、この抵抗５６と抵抗５８によって、第２の閾値電圧ＶＴＨ２が決まる。
【０１３２】
つぎに、この発明の交流用駆動回路の動作について、図１８Ａおよび図１９を用いて説明する。なお、図１９は、全波整流された電圧Ｖ、電流ＩＣ５、ＩＬ５と時間ｔの関係を示すグラフである。まず、交流電源３の電圧が２００Ｖの場合について説明する。なお、交流電源３の電圧が２００Ｖの場合を実線で、１００Ｖの場合を破線で示している。
【０１３３】
図１９Ａにおいて、電圧Ｖの立ち上がり時における、整流回路７の出力の立ち上がり開始から所定時間を経過するまで（図中α５からβ５まで）の動作、および立ち下がり時における電圧ＶがＶＴＨ１以下になった後（図中γ５以降）の動作は、第４の実施形態と同じになる。このため、図１９中のε５からη５までの動作について、以下に説明する。
【０１３４】
この実施形態においては、図１９に示すように、第４の実施形態とは異なり、ＬＥＤ４に流れる電流ＩＬ４が、閾値電流ＩＴＨ以下になったとき（図１７中ε４）でも、電圧Ｖが抵抗５６および抵抗５８によって決まる第２の閾値電圧ＶＴＨ２以下になるまでは、遮断回路Ｂ４からの出力供給は行わず、遮断動作を継続させるようにしている。
【０１３５】
電圧Ｖが第２の閾値電圧ＶＴＨ２以下になると、図１８Ａに示すトランジスタＱ７がオフし、これに連動してトランジスタＱ６がオンする。これにより、タイマー用コンデンサ２２に充電された電荷が放電され、トランジスタＱ２はオフし、これに連動してトランジスタＱ１がオンする。このため、遮断回路Ｂ４による遮断が行われずに、出力供給が行われる。
【０１３６】
さらに、タイマー用コンデンサ２２の電圧が、再び所定値に達すると（図中η５）、遮断回路Ｂ４からの出力供給が遮断される。
【０１３７】
なお、交流電源３の電圧が２００Ｖ（図１９の実線部分）の場合には、上記のように電圧値Ｖが、第２の閾値電圧以下になるまで、遮断回路Ｂ４からの出力供給が行われないようにしている。しかし、図１９Ａに示す交流電源１００Ｖの場合のように、電圧値Ｖが、第２の閾値電圧ＶＴＨ２以上になることがなければ、遮断制御無効回路Ｂ１６を設けても電流波形は変わらない。例えば、図１７Ｃと図１９Ｃに示す交流電源１００Ｖの点線のグラフにおいて、ＬＥＤ４に流れる電流の波形は変わっていない。
【０１３８】
以上のように、この実施形態においては、第４の実施形態と異なり、ＬＥＤ４に流れる電流ＩＬ５が、閾値電流ＩＴＨ以下になっても、電圧Ｖが第２の閾値電圧ＶＴＨ２以下になるまでは、遮断制御回路Ｂ１４による遮断動作を継続させることが可能になる。これにより、装置全体の消費電力を抑え、かつ、常に一定以上の光出力を得ることができる。
【０１３９】
［その他の実施形態］
なお、前述の各実施形態においては、電力蓄積回路Ｂ７が、遮断回路Ｂ４からの入力を制限する抵抗（例えば、図４Ａの抵抗１１）を備えるようにしたが、当該抵抗の代わりに定電流回路を用いて実施してもよい。
【０１４０】
例えば、図４Ａに示す実施形態２の回路において、抵抗１１の代わりに、図２Ａ、Ｂ、Ｃに示すような定電流回路を用いてもよい。なお、その他の各実施形態においても、上記適用は可能である。
【０１４１】
このようにすることで、図５Ｂに示すように、電力蓄積回路に流れる電流ＩＣ２は、徐々に立ち上がるのではなく、一気に定電流回路によって決まる電流値に達することになる。これにより、装置全体の消費電力の増大およびそれに伴う発熱の増大を抑制することができる。
【０１４２】
その理由を、図４に示す第２の実施形態の回路（図４Ａ参照）と比較して、以下に説明する。
【０１４３】
この実施形態では、図４Ａに示す遮断回路Ｂ４からの入力を制限する抵抗１１の代わりに、定電流回路を用いることにした。これにより、抵抗１１を用いた第２の実施形態の回路よりも、短時間でタイマー用コンデンサ２２が充電されるため、早期にトランジスタＱ２がオンし、遮断回路Ｂ４からの出力供給が遮断されることになる。すなわち、第２の実施形態の駆動波形を示す図５のグラフと比較して、β’の位置が左方向に移動する。これにより、立ち上がり時の電圧Ｖ（図５Ａ参照）の値が低くなり、装置全体の消費電力が抑えられることになる。
【０１４４】
なお、前述の各実施形態の回路において、過電流や過電圧から保護するための回路を、さらに設けるようにしてもよい。
【０１４５】
図９に、過電流保護回路Ｂ１０の構成を示す。過電流保護回路Ｂ１０は、遮断回路Ｂ４に入力された過電流を検出してその最大値を制限するための回路である。なお、図９Ａ、Ｂは、それぞれ第１および第２の実施形態の交流用駆動回路において、さらに過電流保護回路Ｂ１０を設けた回路図である。
【０１４６】
図９Ａ、Ｂに示すように、過電流保護回路Ｂ１０は、トランジスタＱ４と抵抗４０とを備えている。トランジスタＱ４は、コレクタがトランジスタＱ１のベースとトランジスタＱ２のコレクタの間に接続され、エミッタ−ベース間には抵抗４０が挿入されている。
【０１４７】
この過電流保護回路Ｂ１０の動作について、以下に説明する。ノイズなどにより回路に過電流が流れると、抵抗４０の両端の電圧が上昇してトランジスタＱ４がオンし、トランジスタＱ１に流れる電流値を制限することができる。したがって、トランジスタＱ１が過電流により破壊されるのを防止することができる。
【０１４８】
つぎに、図１０に、過電圧保護回路Ｂ１２の構成を示す。なお、図１０Ａは、第２の実施形態の交流用駆動回路に、さらに過電圧保護回路Ｂ１２を設けた回路図の例である。
【０１４９】
図１０Ａに示すように、過電圧保護回路Ｂ１２は、トランジスタＱ５と抵抗４２，抵抗４４を備えている。抵抗４２と抵抗４４は直列接続され、整流回路７の出力端に並列接続されている。トランジスタＱ５は、コレクタがトランジスタＱ１のベースとトランジスタＱ２のコレクタとの間に接続され、ベース−エミッタ間には抵抗４４が挿入されている。
【０１５０】
この過電圧保護回路Ｂ１２の動作について、以下に説明する。図１０Ａにおいて、ノイズなどにより回路に、抵抗４２と抵抗４４によって決まる所定値を越える過電圧が印可されると、ベース電流が流れトランジスタＱ５がオンする。これにより、トランジスタＱ１がオフし、電流が遮断される。したがって、トランジスタＱ１が過電圧による発熱により破壊されるのを防止することができる。
【０１５１】
なお、過電流保護回路Ｂ１０を備えた交流用駆動回路において、過電圧保護回路Ｂ１２をさらに設けることもできる。図１０Ｂに示すように、例えば、過電流保護回路Ｂ１０を備えた第２の実施形態の交流用駆動回路（図９Ｂに示す）において、過電圧保護回路Ｂ１２をさらに設けることができる。
【０１５２】
なお、前述の各実施形態に用いた各トランジスタをダーリントン接続したもので実施してもよい。
【０１５３】
なお、前述の各実施形態においては、整流回路７に全波整流回路を用いたが、半波整流回路を用いてもよい。
【０１５４】
なお、前述の各実施形態の交流用駆動回路のコンプリメンタリな回路によって実施してもよい。図１１は、第１の実施形態の交流用駆動回路をコンプリメンタリな回路によって実施したものである。
【０１５５】
なお、前述の各実施形態において、耐電圧性能を向上させるために、図１２に示すような、各トランジスタを複数の直列接続したトランジスタに置き換えて実施しても良い。
【図面の簡単な説明】
【図１】実施形態１の交流用駆動回路の回路構成図およびブロック図である。
【図２】定電流回路の具体例を示す図である。
【図３】実施形態１の駆動波形を示す図である。
【図４】実施形態２の交流用駆動回路の回路構成図およびブロック図である。
【図５】実施形態２の駆動波形を示す図である。
【図６】実施形態１、２、４および５と従来技術の光出力と電源電圧の関係を示す図である。
【図７】負荷定電流駆動回路を備えない実施形態２の交流用駆動回路（実施形態３）の構成を示す図である。
【図８】実施形態３の駆動波形を示す図である。
【図９】過電流保護回路を備えた実施形態１および２の回路を示す図である。
【図１０】過電圧保護回路を備えた実施形態２の回路を示す図である。
を示す図である。
【図１１】その他の実施形態の実施形態１のコンプリメンタリな回路を示す図である。
【図１２】その他の実施形態の直列接続したトランジスタを示す図である。
【図１３】従来技術の交流用駆動回路の回路構成図およびブロック図である。
【図１４】従来技術の駆動波形を示す図である。
を示す図である。
【図１５】従来技術の交流用駆動回路の回路構成および駆動波形を示す図である。
【図１６】実施形態４の交流用駆動回路の回路構成図およびブロック図である。
【図１７】実施形態４の駆動波形を示す図である。
【図１８】実施形態５の交流用駆動回路の回路構成図およびブロック図である。
【図１９】実施形態５の駆動波形を示す図である。
【符号の説明】
１，２・・・・接続端子
３・・・・交流電源
４・・・・ＬＥＤ（負荷）
５，１１，１２，１４，１６・・・・抵抗
６・・・・負荷定電流駆動回路（定電流回路）
７・・・・整流回路
８・・・・蓄電用コンデンサ
１０・・・・逆流防止用ダイオード
２０・・・・定電流回路
２２・・・・タイマー用コンデンサ
２４，２６，２８，３２，３４，４０，４２，４４・・・・抵抗
３０・・・・保護用ダイオード
５０，５２，５４，５６，５８・・・・抵抗
Ｑ１〜Ｑ７・・・・トランジスタ
Ｂ４・・・・遮断回路
Ｂ５・・・・タイマー回路
Ｂ６・・・・閾値回路
Ｂ７・・・・電力蓄積回路
Ｂ１０・・・・過電流保護回路
Ｂ１２・・・・過電圧保護回路
Ｂ１４・・・・遮断制御回路
Ｂ１６・・・・遮断制御無効回路
【図１】
0004778635.tif 000002
【図２】
0004778635.tif 000003
【図３】
0004778635.tif 000004
【図４】
0004778635.tif 000005
【図５】
0004778635.tif 000006
【図６】
0004778635.tif 000007
【図７】
0004778635.tif 000008
【図８】
0004778635.tif 000009
【図９】
0004778635.tif 000010
【図１０】
0004778635.tif 000011
【図１１】
0004778635.tif 000012
【図１２】
0004778635.tif 000013
【図１３】
0004778635.tif 000014
【図１４】
0004778635.tif 000015
【図１５】
0004778635.tif 000016
【図１６】
0004778635.tif 000017
【図１７】
0004778635.tif 000018
【図１８】
0004778635.tif 000019
【図１９】
0004778635.tif 000020